(57)【要約】      （修正有）【課題】有人警備の一部を無人警備に切り替えるにあたり、更なる利便性の向上を実現できる警備補助具を提供する。【解決手段】工事現場で使用する設備を取付先とした、警備補助具Ａであって、巻き取り可能な面材１０を含んで構成し、該面材１０の少なくとも一方の面に文字、図画、写真またはこれらの組合せからなる表示部１１を有する、本体Ａ１と、を少なくとも有する。不使用時には面材１０を巻き取ってコンパクトにできるため、可搬性が高い。【選択図】図１
0003217314.tif 000002
【実用新案登録請求の範囲】
【請求項１】
工事現場で使用する設備を取付先とした、警備補助具であって、
巻き取り可能な面材を含んで構成し、該面材の少なくとも一方の面に文字、図画、写真またはこれらの組合せからなる表示部を有する、本体と、
を少なくとも有することを特徴とする、警備補助具。
【請求項２】
前記面材の上縁および下縁のうち何れか或いは両方に、前記面材を巻き取り可能な軸部を設け、
前記軸部に、前記取付先との取付部を設けてあることを特徴とする、
請求項１に記載の警備補助具。
【請求項３】
前記取付部が、前記軸部の長手方向に摺動可能であることを特徴とする。
請求項２に記載の警備補助具。
【請求項４】
前記本体の両側から前記軸部の両端が延伸してなる延伸部を有し、前記取付部を前記延伸部に位置可能に構成してあることを特徴とする、
請求項２または３に記載の警備補助具。
【請求項５】
前記面材に、前記取付先との取付部を設けてあることを特徴とする、
請求項１に記載の警備補助具。
【請求項６】
前記取付部に、吸盤、マグネットおよび係止機構のうち少なくとも何れか１つを用いていることを特徴とする、
請求項１乃至５のうち少なくとも何れか１項に記載の警備補助具。
【請求項７】
前記表示部が、略等身大の警備員姿を含んであることを特徴とする、請求項１乃至６のうち何れか１項に記載の警備補助具。
【請求項８】
通行人に音声案内を行う案内装置をさらに有することを特徴とする、
請求項１乃至７のうち何れか１項に記載の警備補助具。
【考案の詳細な説明】
【技術分野】
【０００１】
本考案は、雑踏警備や交通誘導警備などの警備業務で使用する、警備補助具に関する。
【背景技術】
【０００２】
近年、警備業務の需要増に伴い、警備員の人員確保が困難となっており、警備員の業務負担の増加が著しい。
その対策として、通常の有人警備を、機械警備などの無人警備に置き換える方法の提供が望まれている。
【０００３】
例えば、道路工事現場での交通誘導警備では、現場周辺に設けた歩行者用迂回路の出入り口に警備員を常駐させて、歩行者に迂回路への誘導・案内を行うことが一般的である。すなわち、この警備業務には最低二名の警備員を確保する必要がある。
そこで、本願出願人は、以下の特許文献１に記載の警備看板を考案し、前記した二名からなる有人警備のうち一方を無人警備に置き換えることで、一名の警備員での交通誘導警備を可能とした。
【先行技術文献】
【特許文献】
【０００４】
【特許文献１】実用新案登録第３２１１６９０号公報
【考案の概要】
【考案が解決しようとする課題】
【０００５】
本考案は、上記特許文献１に記載の警備看板を更に改良することで、有人警備の一部を無人警備に切り替えるにあたり、更なる利便性の向上を実現することを目的とするものである。
【課題を解決するための手段】
【０００６】
上記課題を解決すべくなされた本願考案は、工事現場で使用する設備を取付先とした、警備補助具であって、巻き取り可能な面材を含んで構成し、該面材の少なくとも一方の面に文字、図画、写真またはこれらの組合せからなる表示部を有する、本体と、を少なくとも有することを特徴とする。
また、前記考案において、前記面材の上縁および下縁のうち何れか或いは両方に、前記面材を巻き取り可能な軸部を設け、前記軸部に、前記取付先との取付部を設けてもよい。
また、前記考案において、前記取付部を前記軸部の長手方向に摺動可能に構成してもよい。
また、前記考案において、前記本体の両側から前記軸部の両端が延伸してなる延伸部を有し、前記取付部を前記延伸部に位置可能に構成してもよい。
また、前記考案において、前記面材に、前記取付先との取付部を設けておいてもよい。
また、前記考案において、前記取付部に、吸盤、マグネットおよび係止機構のうち少なくとも何れか１つを用いることもできる
また、前記考案において、前記表示部が、略等身大の警備員姿を含んでおくこともできる。
また、前記考案において、通行人に音声案内を行う案内装置をさらに有しておいてもよい。
【考案の効果】
【０００７】
本考案によれば、以下に記載する効果のうち、少なくとも何れか１つの効果を奏する。
（１）工事現場に設置または確保されている設備に取り付けて使用するため、警備補助具そのものに自立機能を設ける必要が無く、構造を簡易にできる。
（２）本体を巻き取り可能な面材で構成することで、不使用時には巻き取ってコンパクトにできるため、可搬性が高い。
（３）本体の上縁および下縁のうち何れか或いは両方に設けた軸部に、設備との取付部を設けておくことで、巻き取られた状態からの展開作業から取付作業に至るまでに、持ち手を持ち替える必要がなくなる。
（４）取付部を軸部の長手方向に摺動可能に構成することで、取付箇所の幅長が本体幅よりも狭い場所でも取付けが可能となる。
（５）本体の両側から軸部の両端を延伸した部分に取付部を位置可能に構成することで、本体の巻き取り時に、取付部が邪魔にならない。
（６）取付部に、吸盤、マグネットおよび係止機構のうち少なくとも何れか１つを用いることで、現場の使用状態にあわせた取付機構を用いることができる。
（７）表示部に略等身大の警備員姿を含めることで、警備効果の向上が期待できる。
【図面の簡単な説明】
【０００８】
【図１】本考案の実施例１に係る警備補助具の構成を示す概略図。
【図２】本考案の実施例１に係る警備補助具の使用イメージ図。
【図３】本考案の実施例２に係る警備補助具の構成を示す概略図。
【考案を実施するための形態】
【０００９】
以下、図面を参照しながら、本考案の実施例について説明する。
【実施例１】
【００１０】
＜１＞全体構成
本考案に係る警備補助具Ａは、工事看板や、工事現場の仮囲いなどに使用する安全鋼板、その他工事現場で一般的に使用される各種設備（以下「取付先」ともいう。）に取り付けて使用するものである。
よって、本考案に係る警備補助具Ａは、自立機能を必須とするものではない。
図１に示すように、本実施例に係る警備補助具Ａは、本体Ａ１と案内装置Ａ２とで構成している。
【００１１】
＜２＞本体
図１に示すように、本体Ａ１は、面材１０と、軸部２０と、取付部３０とを少なくとも含んで構成している。
そして、本体Ａ１は、面材１０を軸部２０で巻き取った状態で持ち運びを行い、使用時には、現場で本体Ａ１を展開して取付先に取り付けて使用する。
以下、各構成要素の詳細について説明する。
【００１２】
＜３＞面材
面材１０は、無人警備のための看板効果の発揮を目的とする要素である。
本体Ａ１は、可撓性を有する面材１０を少なくとも含んで構成しており、該面材１０の片面または両面に、視覚上の警備効果を発揮可能な文字、図画、写真またはこれらの組合せからなる表示部１１を設けている。
【００１３】
＜３．１＞面材の素材
本体Ａ１を構成する面材１０は、屋外での使用に支障が生じないよう、防水性や耐候性に優れる部材を用いることが好ましい。
また、面材１０はできる限り軽量な部材を用いることを用い、人の持ち運びに支障が無い程度の重量とすることが好ましい。
【００１４】
＜３．２＞面材の大きさ
面材１０の大きさは特段限定しないが、例えば本体Ａ１を工事看板に貼り付けて使用する際には、工事看板に予め描かれている文字や図画などが面材１０で確実に隠れる程度のサイズにしておくことが好ましい。これは、通行人に対して混乱を招かないためである。
【００１５】
＜４＞表示部
表示部１１は、視覚上の警備効果を発揮するための要素である。
表示部１１は、文字、図画、写真またはこれらの組合せ（以下、文字等）を少なくとも有し、視覚でもって通行人に注意喚起を促す機能を有する。
本実施例では、表示部１１に、略等身大の警備員が立哨警備を行っている際の写真を用いている。
【００１６】
＜４．１＞立体視表示
また、表示部１１に立体視が可能な文字等を用いると、通行人への注意喚起効果が高い点で好ましい。
【００１７】
＜４．２＞夜間対応
また、表示部１１には、光反射部または蓄光部を設けておくと、夜間の使用に対応できる点で好ましい。
特に、表示部１１に略等身大の警備員姿を用いている際には、警備員が着用する反射ベストの部分や、警備員が携行する誘導灯の発光部分などを光反射部または蓄光部としておくと、より有人警備を模擬した態様となり好ましい。
【００１８】
＜５＞軸部
本体Ａ１には、前記面材１０の上縁および下縁のうち何れか或いは両方に、前記面材１０を巻き取るための軸部２０を設けておくこともできる。
本実施例では、上縁および下縁の両方に軸部２０を設け、何れの軸部２０からでも面材１０を巻き取り可能に構成している。
【００１９】
＜５．１＞巻き取り方法
また、軸部２０によって面材１０を巻き取る方法は、軸部２０の外側に面材１０を巻き付けていく態様や、軸部２０の内部に面材１０を巻き付けて収容していく態様などを採用することができる。
【００２０】
＜５．２＞摺動溝
軸部２０には、後述する取付部３０を軸部２０の長手方向に摺動自在とするための溝（摺動溝２１）を設けておくこともできる。
本実施例では、軸部２０の裏側に摺動溝２１を設けている。
【００２１】
＜６＞取付部
取付部３０は、本体Ａ１を取付先に貼り付けるための要素である。
取付部３０は、吸盤、マグネットおよび係止機構などを用いることができる。
本実施例では取付部３０に吸盤を用いている。
本実施例では、一本の軸部２０に対し、二つの取付部３０を摺動可能な状態で設けている。
当該構成とすることで、取付部３０を移動させたり、取付部３０同士を接近・離隔させたりすることで、取付先に応じた取付位置の調整が可能となる。
【００２２】
＜７＞その他
その他、図１で図示しないが、本考案では、本体Ａ１に、折りたたみ後の警備補助具Ａを持ち歩きやすくするよう別途持ち手を設けても良い。
【００２３】
＜８＞案内装置
本考案に係る警備補助具Ａは、さらに通行人に音声案内を行う案内装置Ａ２を追加してもよい。
案内装置Ａ２は、人感センサ５０でもって通行人の接近を検知したのち、通行人に対し、警備員が通行人に対して伝達する音声案内を行う機能を有する。
スピーカ４０からの音声出力は、前記した人感センサ５０でもって通行人を検知した際に作動するように構成してもよいし、人感センサ５０を省略した場合には、常に出力し続ける態様としてもよい。
また、出力する音声は予め保存している数パターンの音声から適宜選択するように構成してもよいし、現場で音声を吹き込んで録音したものを使用可能に構成してもよい。
【００２４】
＜９＞使用方法
次に、図２を参照しながら本考案に係る警備補助具Ａの使用例について説明する。
従来、二名の警備員で警備業務にあたっていた警備現場において一名の警備員と本考案に係る警備補助具Ａでもって警備業務を行う場合を想定する。
まず、担当者である一名の警備員は、自身が着用する制服やヘルメットに加えて、本考案に係る警備補助具Ａを巻き取ってコンパクトにしてある状態のものを携行して、工事現場に出勤する。
そして、警備員は、携行してきた警備補助具Ａを展開し、元々もう一名の警備員が警備業務を行う予定の場所（図２では取付先として安全鋼板Ｂを想定している）に、警備補助具Ａを取りつけ、案内装置Ａ２を作動させて無人警備を行う。その後、警備員は、自身が担当する警備箇所で有人警備を行う。
【００２５】
＜１０＞まとめ
このように、本考案に係る警備補助具Ａによれば、警備の必要な場所に警備員に代えて設置することで、雑踏警備や交通誘導警備などの警備業務において、できる限り有人警備の負担を減らした警備業務の実施が可能となる。
【実施例２】
【００２６】
［軸部を省略した態様］
図３に、本考案の実施例２に係る警備補助具Ａを示す。
本実施例の警備補助具Ａでは、実施例１における軸部２０を省略し、面材１０に直接取付部３０を接着してある構成としている。
例えば、取付部３０が薄型のマグネットであれば、巻き取り後の面材１０が極端に太くなることも無い為、警備員による可搬性に悪影響が生じる可能性は低い。
【符号の説明】
【００２７】
Ａ  ：警備補助具
Ａ１：本体
１０：面材
１１：表示部
２０：軸部
２１：摺動溝
３０：取付部
Ａ２：案内装置
４０：スピーカ
５０：人感センサ
Ｂ  ：安全鋼板
【図１】
0003217314.tif 000003
【図２】
0003217314.tif 000004
【図３】
0003217314.tif 000005
【手続補正書】
【提出日】平成30年5月30日(2018.5.30)
【手続補正１】
【補正対象書類名】実用新案登録請求の範囲
【補正対象項目名】全文
【補正方法】変更
【補正の内容】
【実用新案登録請求の範囲】
【請求項１】
工事現場で使用する設備を取付先とした、警備補助具であって、
巻き取り可能な面材を含んで構成し、該面材の少なくとも一方の面に文字、図画、写真またはこれらの組合せからなる表示部を有する、本体と、
を少なくとも有することを特徴とする、警備補助具。
【請求項２】
前記面材の上縁および下縁のうち何れか或いは両方に、前記面材を巻き取り可能な軸部を設け、
前記軸部に、前記取付先との取付部を設けてあることを特徴とする、
請求項１に記載の警備補助具。
【請求項３】
前記取付部が、前記軸部の長手方向に摺動可能であることを特徴とする、
請求項２に記載の警備補助具。
【請求項４】
前記本体の両側から前記軸部の両端が延伸してなる延伸部を有し、前記取付部を前記延伸部に位置可能に構成してあることを特徴とする、
請求項２または３に記載の警備補助具。
【請求項５】
前記面材に、前記取付先との取付部を設けてあることを特徴とする、
請求項１に記載の警備補助具。
【請求項６】
前記取付部に、吸盤、マグネットおよび係止機構のうち少なくとも何れか１つを用いていることを特徴とする、
請求項２乃至５のうち少なくとも何れか１項に記載の警備補助具。
【請求項７】
前記表示部が、略等身大の警備員姿を含んであることを特徴とする、請求項１乃至６のうち何れか１項に記載の警備補助具。
【請求項８】
通行人に音声案内を行う案内装置をさらに有することを特徴とする、
請求項１乃至７のうち何れか１項に記載の警備補助具。